(57)【要約】【課題】    長尺のギヤヒンジを使用しながらギヤヒンジのギヤ部が見えたり、ギヤ部に指を挟むようなことがない折戸を提供すること。【解決手段】  折戸パネルを構成する一方の縦框の内部側全長に亘って複数の歯溝を形成した横断面円弧形状をなすギヤ部を一体形成した一対の折戸パネルと、両端に前記縦框側のギヤ部の歯溝に噛み合う複数の歯溝を形成した横断面円弧形状をなすギヤ部を形成した連結板とから構成され、前記連結板両端のギヤ部の歯溝に前記折戸パネルのそれぞれのギヤ部の歯溝を噛み合わせることにより折り畳み自在に連結したことを特徴とする。【選択図】図４
2009114831.tif 000002
【特許請求の範囲】
【請求項１】
折戸パネルを構成する一方の縦框の内部側全長に亘って複数の歯溝を形成した横断面円弧形状をなすギヤ部を一体形成した一対の折戸パネルと、両端に前記縦框側のギヤ部の歯溝に噛み合う複数の歯溝を形成した横断面円弧形状をなすギヤ部を形成した連結板とから構成され、前記連結板両端のギヤ部の歯溝に前記折戸パネルのそれぞれのギヤ部の歯溝を噛み合わせることにより折り畳み自在に連結したことを特徴とする折戸。
【発明の詳細な説明】
【技術分野】
【０００１】  本発明は、長尺のギヤ部を有する連結部材を使用した折戸に関するものである。
【発明の開示】
【発明が解決しようとする課題】
【０００２】  従来から長尺のギヤヒンジを使用した折戸は公知文献を挙示するまでもなく公知である。【０００３】  然しながら、従来のこのような折戸にあっては、折戸の閉鎖乃至開放時にギヤヒンジのギヤ部が見えて外観が悪いだけでなく、ギヤ部に指を挟んで危険であったり、塵埃が溜まって開閉が円滑でなくなる問題点が生じるため、そのギヤヒンジ部を別途カバーで覆うようにして対処していたが、折戸の部品点数が増えるだけでなく、組立工程が増えるという問題点があった。【０００４】  また、別途カバーを省略するものとして、折戸の上下端のみに板状のギヤヒンジを取着して連結し、指を挟んだり、塵埃が溜まったりしないようにした折戸が主流となっているが、折戸の開閉の都度板状のギヤヒンジのギヤ部に大きな力が働き、ガラス戸のような重い折戸パネルを使用する場合はギヤ部の摩耗が激しくなって長期の使用には耐えられないという問題点があった。【０００５】  本発明は、上記従来技術の問題点を解決するために、別途カバーを使用することなく長尺のギヤヒンジを使用しながらギヤヒンジのギヤ部が見えたり、ギヤ部に指を挟むようなことがない折戸を提供することを目的とするものである。
【課題を解決するための手段】
【０００６】  本発明に係る折戸は、折戸パネルを構成する一方の縦框の内部側全長に亘って複数の歯溝を形成した横断面円弧形状をなすギヤ部を一体形成した一対の折戸パネルと、両端に前記縦框側のギヤ部の歯溝に噛み合う複数の歯溝を形成した横断面円弧形状をなすギヤ部を形成した連結板とから構成され、前記連結板両端のギヤ部の歯溝に前記折戸パネルのそれぞれのギヤ部の歯溝を噛み合わせることにより折り畳み自在に連結したことを特徴とするものである。
【発明の作用】
【０００７】  本発明では、折戸パネルのギヤ部と連結板のギヤ部が折戸パネルを構成する縦框の内部に納められ露出することがない。
【実施例】
【０００８】  図１は、本発明の折戸を立付けた状態の全体正面図、図２は、折戸パネルの縦框部分の平面図、図３は、連結板の平面図、図４は、折戸パネルの連結状態を表わす要部拡大平面図、図５は、同折戸の閉鎖状態における平面図、図６は、同折戸の開放途中の状態における平面図、図７は、同折戸の開放状態における平面図である。【０００９】  図において、１は、本発明の折戸を構成するアルミニュウム製型材の左右縦框１−１、１−２、上下框１−３及びガラス板等のパネル１−４から成る折戸パネルである。【００１０】  ２は、一方の縦框１−２の内部側全長に亘って複数の歯溝２−１・・・２−１を一体形成した横断面円弧形状をなすギヤ部である。【００１１】  ３は、両端に前記縦框１−２のギヤ部２の歯溝２−１・・・２−１に噛み合う複数の歯溝３−１・・・３−１を形成した横断面円弧形状をなすギヤ部３−２を形成した連結板である。【００１２】  ４は、上記連結板３の端部にある突出部３−３が縦框１−２内で円運動できるように案内する円弧状のガイド板、５は、連結板３の突出部３−３が直接ガイド板４に接触しないようにするためのゴム等の弾性部材で、折戸閉鎖時、弾性部材５の一部５−１に連結板３の突出部３−３に形成されたフック部３−３ａが係合して抵抗を掛けるようにもしてある。【００１３】  次に、上記構成に基づき本発明の折戸の連結方法並びに立て付け方法について説明する。【００１４】  先ず、折戸パネル１の縦框１−２の所定個所にガイド板４及び弾性部材５を嵌着し、連結板３のギヤ部３−２と縦框１−２のギヤ部２とが噛み合うように縦框１−２の上端または下端から差し入れることにより一対の折戸パネル１、１を連結板３を介して連結し、両折戸パネル１、１の上下端に横框１−３・・・１−３を装着固定して折戸が完成する。【００１５】  この折戸のギヤ部のない縦框１−１側を開口部の取付枠の上下枠に適宜枢着して折戸の立て付けが完了する。（図１では２組の折戸を左右対称的に取り付けてある）【００１６】  図５の折戸の閉鎖状態においては、弾性部材５の一部５−１に連結板３の突出部３−３に形成されたフック部３−３ａが係合して抵抗が掛けられて風圧等の弱い力では動かないようになっているが、非枢支側の折戸パネル１の縦框１−１側にある取手を引いてやると、縦框１−２のギヤ部２と連結板３のギヤ部３−２が噛み合いながら折り畳まれ、図６の状態を経て図７の開放状態となる。【００１７】  図７の開放状態において両折戸パネル１、１の間隔の調節は連結板３の幅を調節することにより自在に変更できるものである。
【発明の効果】
【００１８】  以上述べた如く、本発明に係る折戸によれば、折戸パネルを構成する一方の縦框の内部側全長に亘って複数の歯溝を形成した横断面円弧形状をなすギヤ部を一体形成した一対の折戸パネルと、両端に前記縦框側のギヤ部の歯溝に噛み合う複数の歯溝を形成した横断面円弧形状をなすギヤ部を形成した連結板とから構成され、前記連結板両端のギヤ部の歯溝に前記折戸パネルのそれぞれのギヤ部の歯溝を噛み合わせることにより折り畳み自在に連結したものであるから、折戸パネルのギヤ部と連結板のギヤ部が折戸パネルを構成する縦框の内部に納められ露出することがなく、従来の折戸のようにギヤヒンジ部を別途カバーで覆うような手段を講じる必要もなく、連結板の幅を変えることによって折り畳み状態における両折戸パネルの間隔を所望の間隔に変更できるという効果があり、耐久使用性に優れた折戸を提供できるものである。
【図面の簡単な説明】
【００１９】
【図１】  本発明の折戸を立付けた状態の全体正面図である。
【図２】  折戸パネルの縦框部分の平面図である。
【図３】  連結板の平面図である。
【図４】  折戸パネルの連結状態を表わす要部拡大平面図である。
【図５】  同折戸の閉鎖状態における平面図である。
【図６】  同折戸の開放途中の状態における平面図である。
【図７】  同折戸の開放状態における平面図である。
【符号の説明】
【００２０】  １          折戸パネル
１−２      縦框
２          ギヤ部
３          連結板
３−２      ギヤ部
【図１】
2009114831.tif 000003
【図２】
2009114831.tif 000004
【図３】
2009114831.tif 000005
【図４】
2009114831.tif 000006
【図５】
2009114831.tif 000007
【図６】
2009114831.tif 000008
【図７】
2009114831.tif 000009